(57)【要約】【課題】塵埃等を大小を問わず一度の清掃作業で被清掃面上から除去することができる、清掃用具を提供すること。【解決手段】被清掃面１０上から塵埃等１００を取り込むための開口３１を有する清掃用具本体３に、開口にて回転して被清掃面上から塵埃等を多数本のブラシ素材によって掻き込む回転ブラシ４と、回転ブラシによって掻き込んだ塵埃等を収納する集塵部５と、回転ブラシを回転させる駆動モータと、駆動モータの電源部７と、を備え、被清掃面上から塵埃等を掻き込むことによって除去する清掃用具１において、回転ブラシのブラシ素材がパイル４２２でできていることを特徴としている。【選択図】図７
2007282880.tif 000002
【特許請求の範囲】
【請求項１】
被清掃面上から塵埃等を取り込むための開口を有する清掃用具本体に、開口にて回転して被清掃面上から塵埃等を多数本のブラシ素材によって掻き込む回転ブラシと、回転ブラシによって掻き込んだ塵埃等を収納する集塵部と、回転ブラシを回転させる駆動モータと、駆動モータの電源部と、を備え、被清掃面上から塵埃等を掻き込むことによって除去する清掃用具において、
回転ブラシのブラシ素材がパイルでできていることを特徴とする清掃用具。
【請求項２】
パイルに、塵埃等を吸着する吸着剤が含浸されている、請求項１記載の清掃用具。
【請求項３】
回転ブラシが、回転軸とブラシ本体とからなっており、
ブラシ本体が、基布に多数本のパイルを植設して構成されており、
ブラシ本体が、回転軸に対して着脱可能となっている、請求項１記載の清掃用具。
【請求項４】
回転軸が、断面多角形状を有している、請求項３記載の清掃用具。
【発明の詳細な説明】
【技術分野】
【０００１】
本発明は、床面等の被清掃面上から塵埃等を掻き込むことによって除去する、清掃用具、に関するものである。
【背景技術】
【０００２】
回転ブラシを有する清掃用具は、公知である（特許文献１）。そして、回転ブラシのブラシ素材として起毛布を用いた清掃用具が、提案されている（特許文献２）。更に、回転ブラシを有する掻込部及び払拭シートを有する払拭部の両方を備えた清掃用具も、提案されている（特許文献３）。
【特許文献１】特開平６−８６７４２号公報
【特許文献２】特開平７−１６１８２号公報
【特許文献３】特開２００３−１３５３４８号公報
【発明の開示】
【発明が解決しようとする課題】
【０００３】
特許文献１に示された清掃用具では、回転ブラシのブラシ素材がナイロン等でできた剛毛であった。それ故、そのような清掃用具は、大きな、ゴミ、塵、埃等（以下、「塵埃等」と称する）を掻き込んで除去するのには適していたが、小さな塵埃等を掻き込んで除去するのには適していなかった。これに対し、特許文献２に示された清掃用具は、その逆であった。
【０００４】
一方、特許文献３に示された清掃用具によれば、払拭部によって塵埃等を拭き集め、集められた塵埃等を掻込部によって掻き込むことができるので、塵埃等を大小を問わず被清掃面上から除去することができた。しかし、そのような清掃用具は、掻込部及び払拭部の両方を備えているため、大型であり、取扱いが容易ではなかった。また、払拭部の払拭シートを頻繁に交換する必要があり、維持管理が面倒であった。
【０００５】
本発明は、塵埃等を大小を問わず一度の清掃作業で被清掃面上から除去することができ、しかも、取扱いや維持管理が容易である、清掃用具を提供することを目的とする。
【課題を解決するための手段】
【０００６】
請求項１記載の発明は、被清掃面上から塵埃等を取り込むための開口を有する清掃用具本体に、開口にて回転して被清掃面上から塵埃等を多数本のブラシ素材によって掻き込む回転ブラシと、回転ブラシによって掻き込んだ塵埃等を収納する集塵部と、回転ブラシを回転させる駆動モータと、駆動モータの電源部と、を備え、被清掃面上から塵埃等を掻き込むことによって除去する清掃用具において、回転ブラシのブラシ素材がパイルでできていることを特徴としている。
【０００７】
請求項２記載の発明は、請求項１記載の発明において、パイルに、塵埃等を吸着する吸着剤が含浸されているものである。
【０００８】
請求項３記載の発明は、請求項１記載の発明において、回転ブラシが、回転軸とブラシ本体とからなっており、ブラシ本体が、基布に多数本のパイルを植設して構成されており、ブラシ本体が、回転軸に対して着脱可能となっているものである。
【０００９】
請求項４記載の発明は、請求項３記載の発明において、回転軸が、断面多角形状を有しているものである。
【発明の効果】
【００１０】
請求項１記載の発明によれば、回転ブラシのブラシ素材がパイルでできているので、次のような作用効果を発揮できる。
（ａ）パイルは、小さな塵埃等を付着させることができる。よって、回転ブラシは、大きな塵埃等は勿論、小さな塵埃等も、掻き込むことができる。したがって、大きな塵埃等も小さな塵埃等も、一度の清掃作業で、被清掃面上から除去することができる。よって、清掃作業を効率的に行うことができる。
（ｂ）回転ブラシによる捕集性能が高い。したがって、回転ブラシの回転数を、ブラシ素材がナイロン等でできた剛毛である従来の場合に比して、低くできる。よって、清掃作業時の騒音及び消費電力を低減できる。
（ｃ）小さな塵埃等を除去するための払拭部を設ける必要がないので、用具のコンパクト化や操作性の向上を実現できる。すなわち、取扱いや維持管理が容易である。
【００１１】
請求項２記載の発明によれば、パイルが吸着剤を含浸しているので、次のような作用効果を発揮できる。
（ａ）小さな塵埃等をより確実に付着させることができる。よって、請求項１記載の発明による作用効果をより効果的に発揮できる。
（ｂ）パイルによって掻き込んだ塵埃等が吸着剤によって固まることとなる。それ故、塵埃等１００が、遠心力によってパイル４２２から離れて、円滑に集塵部５内へ放り込まれることとなる。よって、回転ブラシ４が塵埃等１００によって飽和されて清掃不能となるのを、防止できる。また、集塵部５に溜まった塵埃等１００を廃棄する際に、塵埃等１００が舞い上がるのを防止できる。
【００１２】
請求項３記載の発明によれば、ブラシ本体を必要に応じて取り外して、洗浄し、再度取り付けて使用することができる。よって、清掃用具の経済性を向上できる。また、清掃効果を高く維持できる。
【００１３】
請求項４記載の発明によれば、ブラシ本体が回転軸に対して空回りするのを、防止できる。したがって、清掃作業を確実に行うことができる。
【発明を実施するための最良の形態】
【００１４】
図１は本発明の清掃用具の上方斜視図、図２は平面透視図、図３は図１のIII−III断面矢視図、図４は図１のIV−IV断面矢視図である。この清掃用具１は、柄２の先端に上下左右に揺動自在に取り付けられた状態で使用される。清掃用具１は、被清掃面１０上の塵埃等を取り込むための開口３１を有する清掃用具本体３の、内部に、回転ブラシ４と、集塵部５と、駆動モータ６と、電源部７と、を備えている。開口３１は、左右に長い形状を有しており、清掃用具本体３の最前部に位置している。
【００１５】
回転ブラシ４は、開口３１にて回転して被清掃面１０上から塵埃等を多数本のブラシ素材によって掻き込むよう設けられている。具体的には、回転ブラシ４は、図５に示すような断面六角形状の筒状の回転軸４１に、ブラシ本体４２を巻き付けて構成されている。
【００１６】
ブラシ本体４２は、図６に示すように、基布４２１に多数本のパイル４２２が植設されて構成されている。すなわち、ブラシ素材は、パイルでできている。基布４２１は、例えば、ナイロンメッシュからなっており、ＮＢＲをコーティングすることによって、寸法安定性を保持している。パイル４２２は、例えば、太いモノフィラメントの周囲に細い繊維を配置して撚り合わせて構成されており、材料としては、ナイロン、ポリエステル、又は綿を用いている。
【００１７】
ブラシ本体４２では、多数本のパイル４２２が適当な均等間隔Ｄ置きに並んで構成された列が、６列形成されている。そして、ブラシ本体４２は、回転軸４１の断面六角形の各頂点にパイル４２２の列が位置するよう、回転軸４１に巻き付けられている。
【００１８】
ブラシ本体４２は、回転軸４１に巻き付けて、例えば基布４２１の両縁に設けられた接合部材を重ねることによって、回転軸４１に固定することができ、また、接合部材を互いに引き剥がすことによって回転軸４１から取り外すことができるようになっている。すなわち、ブラシ本体４２は、回転軸４１に対して着脱可能となっている。
【００１９】
回転ブラシ４は、パイル４２２の先端部が開口３１から露出する高さ位置にて、両端の軸４３を介して清掃用具本体３の側壁３２に、回転自在に支持されている。
【００２０】
集塵部５は、回転ブラシ４によって掻き込んだ塵埃等を収納するよう設けられている。具体的には、集塵部５は、上開きの透明な箱体であり、回転ブラシ４の後方に、回転ブラシ４と平行に、設けられている。集塵部５は、一側面５０が清掃用具本体３の側壁を構成している、すなわち、一側面５０が清掃用具本体３から露出している。そして、集塵部５は、一側面５０側の方向、すなわち、図１の矢印Ａ方向に、全部を引き出して清掃用具本体３から取り外すことができるよう、設けられている。集塵部５の前壁５１は後壁５２より若干低くなっている。
【００２１】
駆動モータ６及び電源部７は、集塵部５の後方の左右に、それぞれ設けられている。電源部７は、駆動モータ６に電気を供給するよう、設けられている。駆動モータ６は、その回転軸６１と回転ブラシ４の溝付周面４４（図５）とに巻回されたタイミングベルト６２を介して、回転ブラシ４を回転させるよう、設けられている。
【００２２】
パイル４２２には、塵埃等を吸着する吸着剤が含浸されている。吸着剤は、例えば鉱物油系油剤である。
【００２３】
図１において、清掃用具本体１の上面には、電源部７から駆動モータ６への電気の供給をオン・オフするフットスイッチ８が設けられている。フットスイッチ８は、足によって操作できるよう比較的大きく構成されており、一度押すとオンとなり、もう一度押すとオフとなる。
【００２４】
上記構成の清掃用具１は、回転ブラシ４を回転させながら前方へ移動させるよう、使用する。上記構成の清掃用具１において、フットスイッチ８をオンすると、駆動モータ６が作動して、回転ブラシ４が回転する。回転ブラシ４が回転すると、図７に示すように、床面等の被清掃面１０上の塵埃等１００が、回転ブラシ４のパイル４２２によって開口３１から清掃用具本体３内へ掻き込まれ、その大部分が、後方へ巻き上げられて集塵部５内に放り込まれる。これにより、被清掃面１０上から塵埃等１００が除去されて集塵部５に溜められる。
【００２５】
上記構成の清掃用具１によれば、次のような作用効果を発揮できる。
（１）回転ブラシ４のブラシ素材がパイル４２２でできているので、次のような作用効果を発揮できる。
（ａ）パイル４２２は、小さな塵埃等１００を付着させることができる。よって、回転ブラシ４は、大きな塵埃等１００は勿論、小さな塵埃等１００も、掻き込むことができる。したがって、大きな塵埃等１００も小さな塵埃等１００も、一度の清掃作業で、被清掃面１０上から除去することができる。よって、清掃作業を効率的に行うことができる。
（ｂ）回転ブラシ４による捕集性能が高い。したがって、回転ブラシ４の回転数を、ブラシ素材がナイロン等でできた剛毛である従来の場合に比して、低くできる。よって、清掃作業時の騒音を低減できる。
（ｃ）小さな塵埃等１００を除去するための払拭部を設ける必要がないので、用具のコンパクト化や操作性の向上を実現できる。すなわち、取扱いや維持管理が容易である。
【００２６】
（２）パイル４２２が吸着剤を含浸しているので、次のような作用効果を発揮できる。
（ａ）小さな塵埃等１００をより確実に付着させることができる。よって、上記（１）の作用効果をより効果的に発揮できる。
（ｂ）パイル４２２によって掻き込んだ塵埃等１００が吸着剤によって固まることとなる。それ故、塵埃等１００が、遠心力によってパイル４２２から離れて、円滑に集塵部５内へ放り込まれることとなる。よって、回転ブラシ４が塵埃等１００によって飽和されて清掃不能となるのを、防止できる。また、集塵部５に溜まった塵埃等１００を廃棄する際に、塵埃等１００が舞い上がるのを防止できる。
【００２７】
（３）ブラシ本体４２が回転軸４１に対して着脱自在であるので、ブラシ本体４２を必要に応じて取り外して、洗浄し、再度取り付けて使用することができる。よって、清掃用具１の経済性を向上できる。また、清掃効果を高く維持できる。
【００２８】
（４）ブラシ本体４２は、断面六角形状の回転軸４１に巻き付けられているので、ブラシ本体４２が回転軸４１に対して空回りするのを、防止できる。したがって、清掃作業を確実に行うことができる。
【００２９】
（５）吸引機構を備えていないので、電源部７を長時間使用でき、それ故、長時間の清掃作業と低騒音とを実現できる。
【００３０】
（６）開口３１が清掃用具本体３の最前部に位置しているので、回転ブラシ４も清掃用具本体３の最前部に位置している。したがって、壁際の塵埃等１００を容易に除去できる。
【００３１】
（７）集塵部５は、透明であり、一側面５０が清掃用具本体３から露出しているので、集塵部５内における塵埃等１００の堆積状況を外部から把握することができる。したがって、清掃作業の進み具合や溜まった塵埃等１００の廃棄時期を、容易に知ることができる。
【００３２】
（８）集塵部５の前壁５１が後壁５２より若干低いので、回転ブラシ４によって掻き上げた塵埃等１００を集塵部５内へ容易に放り込むことができる。
【００３３】
なお、次のような変形構造を採用してもよい。
（ｉ）回転軸４１は、断面六角形状に限るものではない。多角形状であれば、例えば五角形状や八角形状でもよい。また、多角形状の回転軸４１の表面に突起を設けてもよい。
（ii）回転軸４１は、断面円形状のものでもよい。但し、その場合は、回転軸４１の表面に突起を設けるのが好ましい。
（iii）回転軸４１は、筒状に限らず、柱状でもよい。
（iv）パイル４２２の列は、回転軸４１に平行でなくてもよい。例えば、螺旋状の列でもよい。
（ｖ）パイル４２２が含浸する吸着剤に、抗菌剤、防カビ剤、抗アレルゲン成分等を配合してもよい。これによれば、ハウスダストによる健康被害を低減することができる。
【産業上の利用可能性】
【００３４】
本発明は、塵埃等を大小を問わず一度の清掃作業で被清掃面上から除去することができるので、産業上の利用価値が大である。
【図面の簡単な説明】
【００３５】
【図１】本発明の清掃用具の上方斜視図である。
【図２】本発明の清掃用具の平面透視図である。
【図３】図１のIII−III断面矢視図である。
【図４】図１のIV−IV断面矢視図である。
【図５】回転軸の上方斜視図である。
【図６】ブラシ本体の断面部分図である。
【図７】本発明の清掃用具の作動を示す縦断面図である。
【符号の説明】
【００３６】
１  清掃用具  ３  清掃用具本体  ３１  開口  ４  回転ブラシ  ４１  回転軸  ４２  ブラシ本体  ４２１  基布  ４２２  パイル  ５  集塵部  ６  駆動モータ  ７  電源部
【図１】
2007282880.tif 000003
【図２】
2007282880.tif 000004
【図３】
2007282880.tif 000005
【図４】
2007282880.tif 000006
【図５】
2007282880.tif 000007
【図６】
2007282880.tif 000008
【図７】
2007282880.tif 000009